(57)【要約】【課題】スレート自身の経年劣化や地震、暴風等の災害時及び施工時等にスレートの落下を抑制することができると共に、安全ネット等を必要とせず屋根材を適正な姿勢に安全に取り付けることができるスレート屋根の落下防止改修構造を提供する。【解決手段】本スレート屋根の落下防止改修構造１は、複数の長尺材２と、前記複数の長尺材２の上面に取り付けられているスレート３と、前記スレート３の上面に塗布形成されている弾性層４と、前記弾性層４の上面側に取り付けられている屋根材５と、を備え、前記弾性層４により前記スレート３の落下を抑制するようにしたことを特徴とする。【選択図】図２
0003145866.tif 000002
【実用新案登録請求の範囲】
【請求項１】
複数の長尺材と、
前記複数の長尺材の上面に取り付けられているスレートと、
前記スレートの上面に塗布形成されている弾性層と、
前記弾性層の上面側に取り付けられている屋根材と、を備え、
前記弾性層により前記スレートの落下を抑制するようにしたことを特徴とするスレート屋根の落下防止改修構造。
【請求項２】
前記長尺材と前記スレートとを固定しているフックボルトと、
前記長尺材と前記屋根材とを固定している取付けボルトと、を更に備え、
前記取付けボルトにより前記屋根材の下面側の一部を前記弾性層の上面に圧接させている請求項１記載のスレート屋根の落下防止改修構造。
【請求項３】
前記取付けボルトは、前記フックボルトの近傍に設けられている請求項２記載のスレート屋根の落下防止改修構造。
【請求項４】
前記取付けボルトの軸心と前記フックボルトの軸心との間隔（ｄ１）は１００ｍｍ以内である請求項３記載のスレート屋根の落下防止改修構造。
【請求項５】
前記長尺材と前記スレートとを固定しているフックボルトと、
前記弾性層の上面に載置され且つ前記フックボルトの上端ねじ部の前記スレートの上面から上方に突出する部位が螺合されている複数の取付け金具と、
前記複数の取付け金具の上面に掛け渡されるように取り付けられるバー材と、
前記取付け金具と前記バー材とを固定している第１取付けボルトと、
前記バー材と前記屋根材とを固定している第２取付けボルトと、を更に備え、
前記第１取付けボルト及び前記第２取付けボルトにより前記取付け金具の下面側の一部を前記弾性層の上面に圧接させている請求項１記載のスレート屋根の落下防止改修構造。
【請求項６】
前記第１取付けボルト及び前記第２取付けボルトは、前記フックボルトの近傍に設けられている請求項５記載のスレート屋根の落下防止改修構造。
【請求項７】
前記第１取付けボルトの軸心と前記フックボルトの軸心との間隔（ｄ２）は１００ｍｍ以内であり、前記第２取付けボルトの軸心と前記フックボルトの軸心との間隔（ｄ３）は１００ｍｍ以内である請求項６記載のスレート屋根の落下防止改修構造。
【請求項８】
前記弾性層は、前記フックボルトの上端ねじ部に螺合されたナット部の上面に形成されている請求項２乃至７のいずれか一項に記載のスレート屋根の落下防止改修構造。
【請求項９】
前記弾性層は、前記スレート上に形成された接着層上に形成されている請求項１乃至８のいずれか一項に記載のスレート屋根の落下防止改修構造。
【請求項１０】
前記弾性層は、ウレタン樹脂又はゴムからなる請求項１乃至９のいずれか一項に記載のスレート屋根の落下防止改修構造。
【請求項１１】
前記スレート及び前記弾性層は波状に形成されている請求項１乃至１０のいずれか一項に記載のスレート屋根の落下防止改修構造。
【請求項１２】
前記長尺材と前記スレートとを固定しているフックボルトと、
前記長尺材と前記屋根材とを固定している取付けボルトと、を更に備え、
前記取付けボルトにより前記屋根材の下面側の一部を前記弾性層の上面に圧接させており、
前記取付けボルトは、前記フックボルトの近傍に設けられており、
前記取付けボルトの軸心と前記フックボルトの軸心との間隔（ｄ１）は１００ｍｍ以内であり、
前記弾性層は、前記フックボルトの前記スレートの上面から上方に突出する上端ねじ部に螺合されたナット部の上面に形成されており、
前記弾性層は、前記スレート上及び前記ナット部上に形成された接着層上に形成されており、
前記弾性層は、ウレタン樹脂又はゴムからなり、
前記スレート及び前記弾性層は波状に形成されている請求項１記載のスレート屋根の落下防止改修構造。
【請求項１３】
前記長尺材と前記スレートとを固定しているフックボルトと、
前記弾性層の上面に載置され且つ前記フックボルトの上端ねじ部の前記スレートの上面から上方に突出する部位が螺合されている複数の取付け金具と、
前記複数の取付け金具の上面に掛け渡されるように取り付けられるバー材と、
前記取付け金具と前記バー材とを固定している第１取付けボルトと、
前記バー材と前記屋根材とを固定している第２取付けボルトと、を更に備え、
前記第１取付けボルト及び前記第２取付けボルトにより前記取付け金具の下面側の一部を前記弾性層の上面に圧接させており、
前記第１取付けボルト及び前記第２取付けボルトは、前記フックボルトの近傍に設けられており、
前記第１取付けボルトの軸心と前記フックボルトの軸心との間隔（ｄ２）は１００ｍｍ以内であり、前記第２取付けボルトの軸心と前記フックボルトの軸心との間隔（ｄ３）は１００ｍｍ以内であり、
前記弾性層は、前記フックボルトの前記スレートの上面から上方に突出する上端ねじ部に螺合されたナット部の上面に形成されており、
前記弾性層は、前記スレート上及び前記ナット部上に形成された接着層上に形成されており、
前記弾性層は、ウレタン樹脂又はゴムからなり、
前記スレート及び前記弾性層は波状に形成されている請求項１記載のスレート屋根の落下防止改修構造。
【考案の詳細な説明】
【技術分野】
【０００１】
本考案は、スレート屋根の落下防止改修構造に関し、更に詳しくは、スレート自身の経年劣化や地震、暴風等の災害時及び施工時等にスレートの落下を抑制することができると共に、安全ネット等を必要とせずに屋根材を適正な姿勢に安全に取り付けることができるスレート屋根の落下防止改修構造に関する。
【背景技術】
【０００２】
従来より、工場等の既設屋根として、複数の長尺材の上面にスレートを取り付けてなるものが一般に知られている。この既設屋根の改修方法では、先ず、スレートの上面に作業者の落下防止を図る安全ネットを敷設し、次に、スレートの上面側に改修用の屋根材を取付けボルトで取り付けていくことが一般に行われている。これにより、既設屋根の上から屋根材を取り付けることができ、既設屋根の中の施設を稼動させたままで改修を行うことができる等の利点を有している。
【０００３】
しかし、上述の改修方法では、スレートと屋根材とはフックボルトのみで固定されているので、スレート自身の経年劣化や地震、暴風等の災害時及び施工時等にスレートの一部が破損してその破片が落下してしまう恐れがある。また、上記安全ネットは、通常、フックボルトに引っ掛けて敷設されることとなるが、その引っ掛かり具合によっては屋根材の収まりが悪く正しい姿勢に取り付けられない箇所が生じる恐れがある。
【０００４】
なお、従来のスレート屋根の改修構造として、複数の長尺材の上面にフックボルトで取り付けられた波形スレートと、この波形スレートの上面に接着された硬質ウレタンフォーム切り出し体と、この硬質ウレタンフォーム切り出し体の上面に取り付けられた屋根材と、を備えるものが知られている（例えば、特許文献１参照）。しかしながら、上記特許文献１では、スレートと屋根材との間に硬質ウレタンフォーム切り出し体を設けることにより断熱効果を向上させることを目的としており、スレートの落下を抑制することを目的とはしていない。特に、上記特許文献１では、硬質ウレタンフォーム切り出し体の下面側を既設の波形スレートの形状に合わせて波形に形成する必要があり、それら両者の波形形状が高精度に一致していない場合、硬質ウレタンフォーム切り出し体と波形スレートとの接着性が低下してスレートの落下が生じる恐れがある。
【０００５】
【特許文献１】特開２００３−２０６５９７号公報
【考案の開示】
【考案が解決しようとする課題】
【０００６】
本考案は、上記現状に鑑みてなされたものであり、スレート自身の経年劣化や地震、暴風等の災害時及び施工時等にスレートの落下を抑制することができると共に、安全ネット等を必要とせず屋根材を適正な姿勢に安全に取り付けることができるスレート屋根の落下防止改修構造を提供することを目的とする。
【課題を解決するための手段】
【０００７】
本考案は、以下の通りである。
１．複数の長尺材と、
前記複数の長尺材の上面に取り付けられているスレートと、
前記スレートの上面に塗布形成されている弾性層と、
前記弾性層の上面側に取り付けられている屋根材と、を備え、
前記弾性層により前記スレートの落下を抑制するようにしたことを特徴とするスレート屋根の落下防止改修構造。
２．前記長尺材と前記スレートとを固定しているフックボルトと、
前記長尺材と前記屋根材とを固定している取付けボルトと、を更に備え、
前記取付けボルトにより前記屋根材の下面側の一部を前記弾性層の上面に圧接させている上記１．記載のスレート屋根の落下防止改修構造。
３．前記取付けボルトは、前記フックボルトの近傍に設けられている上記２．記載のスレート屋根の落下防止改修構造。
４．前記取付けボルトの軸心と前記フックボルトの軸心との間隔（ｄ１）は１００ｍｍ以内である上記３．記載のスレート屋根の落下防止改修構造。
５．前記長尺材と前記スレートとを固定しているフックボルトと、
前記弾性層の上面に載置され且つ前記フックボルトの上端ねじ部の前記スレートの上面から上方に突出する部位が螺合されている複数の取付け金具と、
前記複数の取付け金具の上面に掛け渡されるように取り付けられるバー材と、
前記取付け金具と前記バー材とを固定している第１取付けボルトと、
前記バー材と前記屋根材とを固定している第２取付けボルトと、を更に備え、
前記第１取付けボルト及び前記第２取付けボルトにより前記取付け金具の下面側の一部を前記弾性層の上面に圧接させている上記１．記載のスレート屋根の落下防止改修構造。
６．前記第１取付けボルト及び前記第２取付けボルトは、前記フックボルトの近傍に設けられている上記５．記載のスレート屋根の落下防止改修構造。
７．前記第１取付けボルトの軸心と前記フックボルトの軸心との間隔（ｄ２）は１００ｍｍ以内であり、前記第２取付けボルトの軸心と前記フックボルトの軸心との間隔（ｄ３）は１００ｍｍ以内である上記６．記載のスレート屋根の落下防止改修構造。
８．前記弾性層は、前記フックボルトの上端ねじ部に螺合されたナット部の上面に形成されている上記２．乃至７．のいずれか一項に記載のスレート屋根の落下防止改修構造。
９．前記弾性層は、前記スレート上に形成された接着層上に形成されている上記１．乃至８．のいずれか一項に記載のスレート屋根の落下防止改修構造。
１０．前記弾性層は、ウレタン樹脂又はゴムからなる上記１．乃至９．のいずれか一項に記載のスレート屋根の落下防止改修構造。
１１．前記スレート及び前記弾性層は波状に形成されている上記１．乃至１０．のいずれか一項に記載のスレート屋根の落下防止改修構造。
１２．前記長尺材と前記スレートとを固定しているフックボルトと、
前記長尺材と前記屋根材とを固定している取付けボルトと、を更に備え、
前記取付けボルトにより前記屋根材の下面側の一部を前記弾性層の上面に圧接させており、
前記取付けボルトは、前記フックボルトの近傍に設けられており、
前記取付けボルトの軸心と前記フックボルトの軸心との間隔（ｄ１）は１００ｍｍ以内であり、
前記弾性層は、前記フックボルトの前記スレートの上面から上方に突出する上端ねじ部に螺合されたナット部の上面に形成されており、
前記弾性層は、前記スレート上及び前記ナット部上に形成された接着層上に形成されており、
前記弾性層は、ウレタン樹脂又はゴムからなり、
前記スレート及び前記弾性層は波状に形成されている上記１．記載のスレート屋根の落下防止改修構造。
１３．前記長尺材と前記スレートとを固定しているフックボルトと、
前記弾性層の上面に載置され且つ前記フックボルトの上端ねじ部の前記スレートの上面から上方に突出する部位が螺合されている複数の取付け金具と、
前記複数の取付け金具の上面に掛け渡されるように取り付けられるバー材と、
前記取付け金具と前記バー材とを固定している第１取付けボルトと、
前記バー材と前記屋根材とを固定している第２取付けボルトと、を更に備え、
前記第１取付けボルト及び前記第２取付けボルトにより前記取付け金具の下面側の一部を前記弾性層の上面に圧接させており、
前記第１取付けボルト及び前記第２取付けボルトは、前記フックボルトの近傍に設けられており、
前記第１取付けボルトの軸心と前記フックボルトの軸心との間隔（ｄ２）は１００ｍｍ以内であり、前記第２取付けボルトの軸心と前記フックボルトの軸心との間隔（ｄ３）は１００ｍｍ以内であり、
前記弾性層は、前記フックボルトの前記スレートの上面から上方に突出する上端ねじ部に螺合されたナット部の上面に形成されており、
前記弾性層は、前記スレート上及び前記ナット部上に形成された接着層上に形成されており、
前記弾性層は、ウレタン樹脂又はゴムからなり、
前記スレート及び前記弾性層は波状に形成されている上記１．記載のスレート屋根の落下防止改修構造。
【考案の効果】
【０００８】
本考案のスレート屋根の落下防止改修構造によると、スレートの上面に弾性層が塗布形成されているので、スレート自身の経年劣化や地震、暴風等の災害時及び施工時等にスレートの一部が破損してもその破片は弾性層に支持されたまま残ることとなり、スレートの落下を抑制することができる。特に、弾性層が塗布形成されているので、スレートと弾性層との接着性に優れておりスレートの落下をより確実に抑制することができる。また、弾性層によって作業者の落下防止が図られるので、安全ネット等を必要とせず屋根材を適正な姿勢に安全に取り付けることができる。
また、フックボルトと、取付けボルトと、を更に備え、前記取付けボルトにより前記屋根材の下面側の一部を前記弾性層の上面に圧接させている場合は、長尺材と屋根材との間にスレート及び弾性層が強固に挟持されることとなり、スレートと弾性層との接着性をより高めることができる。また、部品点数を必要最小限に抑えて施工費用及び期間等を低減することができる。
また、前記取付けボルトが、前記フックボルトの近傍に設けられている場合は、長尺材と屋根材との間にスレート及び弾性層がより強固に挟持される。
また、前記取付けボルトの軸心と前記フックボルトの軸心との間隔が１００ｍｍ以内である場合は、長尺材と屋根材との間にスレート及び弾性層がより強固に挟持される。
また、フックボルトと、複数の取付け金具と、バー材と、第１取付けボルトと、第２取付けボルトと、を更に備え、前記第１取付けボルト及び前記第２取付けボルトにより前記取付け金具の下面側の一部を前記弾性層の上面に圧接させている場合は、長尺材と複数の取付け金具との間にスレート及び弾性層が強固に挟持されることとなり、スレートと弾性層との接着性をより高めることができる。また、複数の取付け金具及びバー材によってスレートと屋根材との間に空間が形成されるので、断熱効果を高めることができる。
また、前記第１取付けボルト及び前記第２取付けボルトが、前記フックボルトの近傍に設けられている場合は、長尺材と複数の取付け金具との間にスレート及び弾性層がより強固に挟持される。
また、前記第１取付けボルトの軸心と前記フックボルトの軸心との間隔が１００ｍｍ以内であり、前記第２取付けボルトの軸心と前記フックボルトの軸心との間隔が１００ｍｍ以内である場合は、長尺材と複数の取付け金具との間にスレート及び弾性層がより強固に挟持される。
また、前記弾性層が、前記フックボルトの上端ねじ部に螺合されたナット部の上面に形成されている場合は、弾性層の強度を高め得ると共に、弾性層の塗布形成をより簡易且つ迅速に行うことができる。
また、前記弾性層が、前記スレート上に形成された接着層上に形成されている場合は、弾性層とスレートとの接着性をより高めることができる。
また、前記弾性層が、ウレタン樹脂又はゴムからなる場合は、速乾性の塗料として弾性層を迅速に塗布形成し得ると共に、弾性層の厚さのむらを抑制することができる。
さらに、前記スレート及び前記弾性層が波状に形成されている場合は、スレートと弾性層との接着性をより高め得ると共に、弾性層を必要最小限の材料から形成することができる。
【考案を実施するための最良の形態】
【０００９】
１．スレート屋根の落下防止改修構造
本考案に係るスレート屋根の落下防止改修構造は、複数の長尺材と、前記複数の長尺材の上面に取り付けられているスレートと、前記スレートの上面に塗布形成されている弾性層と、前記弾性層の上面側に取り付けられている屋根材と、を備え、前記弾性層により前記スレートの落下を抑制するようにしたことを特徴とする。
上記弾性層は、スレート上に形成された接着層上に形成されていることが好ましい。また、上記弾性層は、ウレタン樹脂又はゴムからなることが好ましい。さらに、上記スレート及び弾性層は波状に形成されていることが好ましい。
なお、上記「塗布形成されている弾性層」とは、塗布後に熱や触媒と反応させずにそのまま乾燥して形成されている弾性層の他に、塗布後に熱や触媒と反応させて形成されている弾性層を含むものとする。
【００１０】
上記スレート屋根の落下防止改修構造としては、例えば、下記（１）（２）形態等を挙げることができる。
（１）上記長尺材とスレートとを固定しているフックボルトと、長尺材と屋根材とを固定している取付けボルトと、を更に備え、取付けボルトにより屋根材の下面側の一部を弾性層の上面に圧接させている形態（図２及び３参照）。
（２）上記長尺材とスレートとを固定しているフックボルトと、弾性層の上面に載置され且つフックボルトの上端ねじ部のスレートの上面から上方に突出する部位が螺合されている複数の取付け金具と、複数の取付け金具の上面に掛け渡されるように取り付けられるバー材と、取付け金具とバー材とを固定している第１取付けボルトと、バー材と屋根材とを固定している第２取付けボルトと、を更に備え、第１取付けボルト及び第２取付けボルトにより取付け金具の下面側の一部を弾性層の上面に圧接させている形態（図７及び８参照）。
【００１１】
上記（１）形態では、前記取付けボルトは、前記フックボルトの近傍に設けられていることが好ましい。この場合、例えば、取付けボルトの軸心とフックボルトの軸心との間隔（ｄ１）は１００ｍｍ以内であることができる（図３参照）。
上記（２）形態では、前記第１取付けボルト及び前記第２取付けボルトは、前記フックボルトの近傍に設けられていることが好ましい。この場合、例えば、前記第１取付けボルトの軸心と前記フックボルトの軸心との間隔（ｄ２）が１００ｍｍ以内であり、前記第２取付けボルトの軸心と前記フックボルトの軸心との間隔（ｄ３）が１００ｍｍ以内であることができる（図８参照）。
上記（１）（２）形態では、前記弾性層は、前記フックボルトの上端ねじ部に螺合されたナット部の上面に形成されていることが好ましい。
【実施例】
【００１２】
以下、図面に基づいて実施例１及び２により本考案を具体的に説明する。
【００１３】
（実施例１）
（１）スレート屋根の落下防止改修構造の構成
本実施例１に係るスレート屋根の落下防止改修構造１は、図１〜３に示すように、複数の長尺材２と、これら複数の長尺材２の上面に取り付けられているスレート３と、このスレート３の上面に塗布形成されている弾性層４と、この弾性層４の上面側に取り付けられている屋根材５と、を備えている。これら複数の長尺材２は所定ピッチ間隔（例えば、約９００ｍｍ間隔）で互いに並設されている。また、各長尺材２は、鋼製であり、縦断面略Ｃ字状に形成されている。また、スレート３は、石綿とセメントとを含んでなり、波形に形成されている。また、弾性層４は、ウレタン樹脂からなり、波形に形成されている。この弾性層４の厚さは約３ｍｍとされている。また、屋根材５は、鋼製又は樹脂製であり、山なみ状に形成されている。
【００１４】
上記長尺材２の上折返し片２ａには、図３に示すように、スレート３を貫通するフックボルト７の下端フック部７ｂが係止されている。また、フックボルト７の上端ねじ部７ａに螺合されるナット部８はスレート３の上面に係止している。したがって、フックボルト７により長尺材２とスレート３とが一体に固定されている。また、上記長尺材２には、屋根材５及びスレート３を貫通する取付けボルト９の下端ねじ部９ｂが螺合されている。この取付けボルト９の頭部９ａは屋根材５の上面に係止されている。したがって、取付けボルト９により長尺材２と屋根材５とが一体に固定されていると共に、屋根材５の下面側の一部を弾性層４の上面に圧接させている（図２参照）。
なお、本実施例１では、上記取付けボルト９の軸心とフックボルト７の軸心との間隔ｄ１は約３０ｍｍに設定されている（図３参照）。また、上記フックボルト７は、長尺材２の長尺方向及び長尺方向に直行する方向に沿って所定ピッチ間隔（例えば、約９００ｍｍ間隔）で配設されている。
【００１５】
（２）スレート屋根の落下防止改修構造の施工方法
次に、上記構成のスレート屋根の落下防止改修構造１の施工方法について説明する。
先ず、図４に示すように、複数の長尺材２の上面にフックボルト７でスレート３を取り付けてなる既設屋根において、スレート３の上面から上方に突出するフックボルト７の上端ねじ部７ａを切断する。次に、図５に示すように、スレート３の上面に接着剤（プレコート剤）をスプレー塗布した後、ウレタン樹脂からなる速乾性の塗料（例えば、数秒〜数十秒で乾燥する塗料）をスプレー塗布して波形の弾性層４をスレート３上面に塗布形成する。次いで、図６に示すように、屋根材５を弾性層４の上面に載置し、スレート３を貫通する取付けボルト９で屋根材５を長尺材２に固定して、上記落下防止改修構造１が得られることとなる。
【００１６】
（３）実施例１の効果
本実施例１のスレート屋根の落下防止改修構造１によると、複数の長尺材２の上面にスレート３を取り付けてなる既設屋根の上から屋根材５を取り付けているので、既設屋根の中の施設を稼動させたままで改修を行うことができる。
【００１７】
また、本実施例１では、スレート３の上面に弾性層４が塗布形成されているので、スレート３自身の経年劣化や地震、暴風等の災害時及び施工時等にスレート３の一部が破損してもその破片は弾性層４に支持されたまま残ることとなり、スレート３の落下を抑制することができる。特に、弾性層４が塗布形成されているので、波形に切り出された弾性体をスレートの上面に接着するものに比べて、スレート３と弾性層４との接着性に優れておりスレート３の落下をより確実に抑制することができる。また、弾性層４によって屋根材５の取付け作業者の落下防止が図られるので、安全ネット等を必要とせず屋根材５を適正な姿勢に安全に取り付けることができる。
【００１８】
また、本実施例１では、フックボルト７と、取付けボルト９と、を更に備え、取付けボルト９により屋根材５の下面側の一部を弾性層４の上面に圧接させるようにしたので、長尺材２と屋根材５との間にスレート３及び弾性層４が強固に挟持されることとなり、スレート３と弾性層４との接着性をより高めることができる。また、部品点数を必要最小限に抑えて施工費用及び期間等を低減することができる。
【００１９】
また、本実施例１では、取付けボルト９の軸心とフックボルト７の軸心との間隔ｄ１を約３０ｍｍに設定したので、長尺材２と屋根材５との間にスレート３及び弾性層４をより強固に挟持させることができる。
【００２０】
また、本実施例１では、弾性層４を、スレート３の上面に加えて、フックボルト７の上端ねじ部７ａに螺合されたナット部８の上面にも形成するようにしたので、弾性層４の強度をより高め得ると共に、弾性層４の塗布形成をより簡易且つ迅速に行うことができる。
【００２１】
また、本実施例１では、弾性層４を、スレート３上に形成された接着層上に形成するようにしたので、弾性層４とスレート３との接着性をより高めることができる。
【００２２】
また、本実施例１では、ウレタン樹脂からなる弾性層４を採用したので、速乾性の塗料として弾性層４を迅速に塗布形成し得ると共に、弾性層４の厚さのむらを抑制することができる。
【００２３】
さらに、本実施例１では、スレート３及び弾性層４の両者を波状に形成したので、スレート３と弾性層４との接着性をより高め得ると共に、弾性層４を必要最小限の材料から形成することができる。
【００２４】
（実施例２）
（１）スレート屋根の落下防止改修構造の構成
次に、本実施例２に係るスレート屋根の落下防止改修構造について説明する。なお、本実施例２に係る落下防止改修構造において上記実施例１の落下防止改修構造１と同じ構成部位には同符号を付けて詳説を省略する。
【００２５】
本実施例２に係るスレート屋根の落下防止改修構造１１は、図７及び８に示すように、複数の長尺材２と、これら複数の長尺材２の上面に取り付けられているスレート３と、このスレート３の上面に塗布形成されている弾性層４と、この弾性層４の上面側に取り付けられている屋根材５と、を備えている。この弾性層４の上面には複数の取付け金具１２が載置されている。これら各取付け金具１２は、鋼製であり、縦断面略Ｃ字状に形成されている。また、各取付け金具１２の内壁側には、フックボルト１７の上端ねじ部１７ａが螺合可能な取付板１２ａが設けられている。
【００２６】
上記長尺材２の上折返し片２ａには、図８に示すように、スレート３を貫通するフックボルト１７の下端フック部１７ｂが係止されている。また、フックボルト１７の上端ねじ部１７ａに螺合されるナット部１８はスレート３の上面に係止している。また、このフックボルト１７の上端ねじ部１７ａにおいてスレート３の上面から上方に突出する部位は、各取付け金具１２の取付板１２ａに螺合されている。したがって、フックボルト１７により長尺材２、スレート３及び取付け金具１２が一体に固定されている。また、上記長尺材２には、バー材１３を貫通する第１取付けボルト１９の下端ねじ部１９ｂが螺合されている。この第１取付けボルト１９の頭部１９ａはバー材１３の上面に係止されている。さらに、バー材１３には、屋根材５を貫通する第２取付けボルト２０の下端ねじ部２０ｂが螺合されている。この第２取付けボルト２０の頭部２０ａは屋根材５の上面に係止されている。したがって、第１及び第２取付けボルト１９，２０により各取付け金具１２、バー材１３及び屋根材５が一体に固定されていると共に、各取付け金具１２の下面側の一部を弾性層４の上面に圧接させている（図７参照）。
なお、本実施例２では、上記第１取付けボルト１９の軸心とフックボルト１７の軸心との間隔ｄ２は約５０ｍｍに設定されおり、上記第２取付けボルト２０の軸心とフックボルト１７の軸心との間隔ｄ３は約３０ｍｍに設定されている（図８参照）。
【００２７】
（２）スレート屋根の落下防止改修構造の施工方法
次に、上記構成のスレート屋根の落下防止改修構造１１の施工方法について説明する。
先ず、図９に示すように、複数の長尺材２の上面にフックボルト１７でスレート３を取り付けてなる既設屋根において、図１０に示すように、スレート３の上面に接着剤（プレコート剤）をスプレー塗布した後、ウレタン樹脂からなる速乾性の塗料（例えば、数秒〜数十秒で乾燥する塗料）をスプレー塗布して波形の弾性層４をスレート上面に塗布形成する。次に、図１１に示すように、弾性層４の上面に取付け金具１２を載置し、この取付け金具１２の取付板１２ａにフックボルト１７の上端ねじ部１７ａを螺合させて取付け金具１２をスレート３に固定する。次いで、図１２に示すように、複数の取付け金具１２の上面にバー材１３を掛け渡すように載置し、第１取付けボルト１９でバー材１３を取付け金具１２に固定する。その後、図１３に示すように、バー材１３の上面に屋根材５を載置し、第２取付けボルト２０で屋根材５をバー材１３に固定して、上記落下防止改修構造１１が得られることとなる。
【００２８】
（３）実施例２の効果
本実施例２のスレート屋根の落下防止改修構造１１によると、上記実施例１のスレート屋根の落下防止改修構造１と略同様の作用・効果を発揮し得ることに加えて、フックボルト１７と、複数の取付け金具１２と、バー材１３と、第１取付けボルト１９と、第２取付けボルト２０と、を更に備え、第１取付けボルト１９及び第２取付けボルト２０により取付け金具１２の下面側の一部を弾性層４の上面に圧接させるようにしたので、長尺材２と複数の取付け金具１２との間にスレート３及び弾性層４が強固に挟持されることとなり、スレート３と弾性層４との接着性がより高められて、スレート３の落下を更に確実に抑制することができる。また、複数の取付け金具１２及びバー材１３によってスレート３と屋根材５との間に空間が形成されるので、断熱効果を高めることができる。
【００２９】
また、本実施例２では、第１取付けボルト１９の軸心とフックボルト１７の軸心との間隔ｄ２を約５０ｍｍに設定し、第２取付けボルト２０の軸心とフックボルト１７の軸心との間隔ｄ３を約３０ｍｍに設定したので、長尺材２と複数の取付け金具１２との間にスレート３及び弾性層４がより強固に挟持されることとなる。
【００３０】
尚、本考案においては、上記実施例１及び２に限られず、目的、用途に基づいて本考案の範囲内で種々変更した実施例とすることができる。即ち、上記実施例１及び２では、山なみ状の屋根材５を例示したが、これに限定されず、例えば、略平板状や異形状の屋根材としてもよい。
【００３１】
また、上記実施例１及び２では、スプレー塗布される弾性層４を例示したが、これに限定されず、例えば、刷毛塗り又はローラ塗りされる弾性層としてもよい。
【００３２】
また、上記実施例１及び２では、波形のスレート３を例示したが、これに限定されず、例えば、略平板状や異形状のスレートとしてもよい。
【００３３】
また、上記実施例１及び２では、ウレタン樹脂製の弾性層４を例示したが、これに限定されず、例えば、ゴム製の弾性層としてもよい。
【００３４】
さらに、上記実施例１では、屋根材５の下面側の一部を弾性層４の上面に圧接させるようにしたが、これに限定されず、例えば、屋根材５の下面側を弾性層４の上面に接触させずに浮かして配設するようにしてもよい。また、上記実施例２では、取付け金具１２の下面側の一部を弾性層４の上面に圧接させるようにしたが、これに限定されず、例えば、取付け金具１２の下面側を弾性層４の上面に接触させずに浮かして配設するようにしてもよい。
【産業上の利用可能性】
【００３５】
複数の長尺材の上面にスレートを取り付けてなる既設屋根において、スレートの上面側に屋根材を取り付けて改修する技術として広く利用される。
【図面の簡単な説明】
【００３６】
【図１】実施例１に係るスレート屋根の落下防止改修構造の要部斜視図である。
【図２】上記落下防止改修構造の要部縦断面図である。
【図３】図２のＩＩＩ−ＩＩＩ線断面図である。
【図４】上記落下防止改修構造の施工方法を説明するための説明図である。
【図５】上記落下防止改修構造の施工方法を説明するための説明図である。
【図６】上記落下防止改修構造の施工方法を説明するための説明図である。
【図７】実施例２に係るスレート屋根の落下防止改修構造の要部縦断面図である。
【図８】図７のＶＩＩＩ−ＶＩＩＩ線断面図である。
【図９】上記落下防止改修構造の施工方法を説明するための説明図である。
【図１０】上記落下防止改修構造の施工方法を説明するための説明図である。
【図１１】上記落下防止改修構造の施工方法を説明するための説明図である。
【図１２】上記落下防止改修構造の施工方法を説明するための説明図である。
【図１３】上記落下防止改修構造の施工方法を説明するための説明図である。
【符号の説明】
【００３７】
１，１１；スレート屋根の落下防止改修構造、２；長尺材、３；スレート、４；弾性層、５；屋根材、７，１７；フックボルト、９；取付けボルト、１２；取付け金具、１３；バー材、１９；第１取付けボルト、２０；第２取付けボルト。
【図１】
0003145866.tif 000003
【図２】
0003145866.tif 000004
【図３】
0003145866.tif 000005
【図４】
0003145866.tif 000006
【図５】
0003145866.tif 000007
【図６】
0003145866.tif 000008
【図７】
0003145866.tif 000009
【図８】
0003145866.tif 000010
【図９】
0003145866.tif 000011
【図１０】
0003145866.tif 000012
【図１１】
0003145866.tif 000013
【図１２】
0003145866.tif 000014
【図１３】
0003145866.tif 000015